(57)【要約】【課題】  汎用性のある容易な回路構成で、所定レベルの信号を検出するという同一機能を実現可能な所定レベル信号検出回路を提供する。【解決手段】  伝送路符号１／０変化検出回路２は伝送路信号を入力し、伝送路符号の“１”／“０”の変化なしの状態が一定ビット分以上続いたかを検出し、伝送路情報１／０変化検出回路３は伝送路符号／伝送情報変換回路１の出力を入力し、伝送情報の“１”／“０”の変化なしの状態が一定ビット分以上続いたかを検出する。伝送情報１判定回路４は伝送路符号／伝送情報変換回路１の出力を入力し、伝送情報が“１”であるかを判定する。論理積回路５は伝送路符号１／０変化検出回路２、伝送情報１／０変化検出回路３、伝送情報１判定回路４各々の出力を入力し、それらが全て“１”の時にＡＩＳ信号を出力する。【選択図】      図１                                                  
2005341082.tif 000002
【特許請求の範囲】
【請求項１】
障害発生区間を識別するために上位装置からの警報の転送情報として全て同一レベルの所定レベル信号を受信する情報処理装置であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを有することを特徴とする情報処理装置。
【請求項２】
前記所定レベルは、２値レベルの“１”及び“０”のいずれかであることを特徴とする請求項１記載の情報処理装置。
【請求項３】
前記第１の検出手段は、前記伝送情報の前記“１”及び前記“０”への変化を検出し、
前記第２の検出手段は、前記伝送情報の前記“１”及び前記“０”のうちの一方を検出することを特徴とする請求項２記載の情報処理装置。
【請求項４】
前記演算手段は、前記第１及び第２の検出手段各々の検出結果の論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項１から請求項３のいずれか記載の情報処理装置。
【請求項５】
前記第１の検出手段は、時定数を変更可能なマルチバイブレータから少なくともなることを特徴とする請求項１から請求項４のいずれか記載の情報処理装置。
【請求項６】
障害発生区間を識別するために上位装置からの警報の転送情報として全て同一レベルの所定レベル信号を受信する通信装置であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを有することを特徴とする通信装置。
【請求項７】
前記所定レベルは、２値レベルの“１”及び“０”のいずれかであることを特徴とする請求項６記載の通信装置。
【請求項８】
前記第１の検出手段は、前記伝送情報の前記“１”及び前記“０”への変化を検出し、
前記第２の検出手段は、前記伝送情報の前記“１”及び前記“０”のうちの一方を検出することを特徴とする請求項７記載の通信装置。
【請求項９】
前記演算手段は、前記第１及び第２の検出手段各々の検出結果の論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項６から請求項８のいずれか記載の通信装置。
【請求項１０】
前記第１の検出手段は、時定数を変更可能なマルチバイブレータから少なくともなることを特徴とする請求項６から請求項９のいずれか記載の通信装置。
【請求項１１】
障害発生区間を識別するために上位装置からの警報の転送情報として全て同一レベルの所定レベル信号を受信し、伝送路符号を伝送情報に変換する変換手段を含む通信装置であって、
前記伝送路符号のレベル変化を検出しかつ変化なしの状態が予め設定された一定ビット分以上連続することを検出する第１の検出手段と、前記変換手段から出力される伝送情報のレベル変化を検出しかつ変化なしの状態が予め設定された一定ビット分以上連続することを検出する第２の検出手段と、前記変換手段から出力される伝送情報の予め設定した所定レベルを検出する第３の検出手段と、前記第１の検出手段の検出結果と前記第２の検出手段の検出結果と前記第３の検出手段の検出結果とに対して論理演算を行う演算手段とを有することを特徴とする通信装置。
【請求項１２】
前記変換手段は、少なくともＡＭＩ（Ａｌｔｅｒｎａｔｅ  Ｍａｒｋ  Ｉｎｖｅｒｓｉｏｎ）及びＢ８ＺＳ（Ｂｉｐｏｌａｒ  ｗｉｔｈ  ８  Ｚｅｒｏ  Ｓｕｂｓｔｉｔｕｔｉｏｎ  ｃｏｄｅ）の伝送路符号のＢＳＩ（Ｂｉｔ  Ｓｅｑｕｅｎｃｅ  Ｉｎｄｅｐｅｎｄｅｎｃｅ）化を行うために設けられたことを特徴とする請求項１１記載の通信装置。
【請求項１３】
前記所定レベルは、２値レベルの“１”及び“０”のいずれかであることを特徴とする請求項１１または請求項１２記載の通信装置。
【請求項１４】
前記第１の検出手段は、前記伝送路符号の前記“１”及び前記“０”への変化を検出し、
前記第２の検出手段は、前記伝送情報の前記“１”及び前記“０”への変化を検出し、
前記第３の検出手段は、前記伝送情報の前記“１”及び前記“０”のうちの一方を検出することを特徴とする請求項１３記載の通信装置。
【請求項１５】
前記演算手段は、前記第１の検出手段の検出結果と前記第２の検出手段の検出結果と前記第３の検出手段の検出結果との論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項１１から請求項１４のいずれか記載の通信装置。
【請求項１６】
前記第１及び第２の検出手段は、時定数を変更可能なマルチバイブレータから少なくともなることを特徴とする請求項１１から請求項１５のいずれか記載の通信装置。
【請求項１７】
障害発生区間を識別するために上位装置からの警報の転送情報として全て同一レベルの所定レベル信号を受信する情報処理装置において所定レベル信号を検出する所定レベル信号検出回路であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを有することを特徴とする所定レベル信号検出回路。
【請求項１８】
前記所定レベルは、２値レベルの“１”及び“０”のいずれかであることを特徴とする請求項１７記載の所定レベル信号検出回路。
【請求項１９】
前記第１の検出手段は、前記伝送情報の前記“１”及び前記“０”への変化を検出し、
前記第２の検出手段は、前記伝送情報の前記“１”及び前記“０”のうちの一方を検出することを特徴とする請求項１８記載の所定レベル信号検出回路。
【請求項２０】
前記演算手段は、前記第１及び第２の検出手段各々の検出結果の論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項１７から請求項１９のいずれか記載の所定レベル信号検出回路。
【請求項２１】
前記第１の検出手段は、時定数を変更可能なマルチバイブレータから少なくともなることを特徴とする請求項１７から請求項２０のいずれか記載の所定レベル信号検出回路。
【請求項２２】
障害発生区間を識別するために上位装置からの警報の転送情報として全て同一レベルの所定レベル信号を受信する通信装置において所定レベル信号を検出する所定レベル信号検出回路であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを有することを特徴とする所定レベル信号検出回路。
【請求項２３】
前記所定レベルは、２値レベルの“１”及び“０”のいずれかであることを特徴とする請求項２２記載の所定レベル信号検出回路。
【請求項２４】
前記第１の検出手段は、前記伝送情報の前記“１”及び前記“０”への変化を検出し、
前記第２の検出手段は、前記伝送情報の前記“１”及び前記“０”のうちの一方を検出することを特徴とする請求項２３記載の所定レベル信号検出回路。
【請求項２５】
前記演算手段は、前記第１及び第２の検出手段各々の検出結果の論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項２２から請求項２４のいずれか記載の所定レベル信号検出回路。
【請求項２６】
前記第１の検出手段は、時定数を変更可能なマルチバイブレータから少なくともなることを特徴とする請求項２２から請求項２５のいずれか記載の所定レベル信号検出回路。
【請求項２７】
障害発生区間を識別するために上位装置からの警報の転送情報として全て同一レベルの所定レベル信号を受信し、伝送路符号を伝送情報に変換する変換手段を含む通信装置において所定レベル信号を検出する所定レベル信号検出回路であって、
前記伝送路符号のレベル変化を検出しかつ変化なしの状態が予め設定された一定ビット分以上連続することを検出する第１の検出手段と、前記変換手段から出力される伝送情報のレベル変化を検出しかつ変化なしの状態が予め設定された一定ビット分以上連続することを検出する第２の検出手段と、前記変換手段から出力される伝送情報の予め設定した所定レベルを検出する第３の検出手段と、前記第１の検出手段の検出結果と前記第２の検出手段の検出結果と前記第３の検出手段の検出結果とに対して論理演算を行う演算手段とを有することを特徴とする所定レベル信号検出回路。
【請求項２８】
前記変換手段は、少なくともＡＭＩ（Ａｌｔｅｒｎａｔｅ  Ｍａｒｋ  Ｉｎｖｅｒｓｉｏｎ）及びＢ８ＺＳ（Ｂｉｐｏｌａｒ  ｗｉｔｈ  ８  Ｚｅｒｏ  Ｓｕｂｓｔｉｔｕｔｉｏｎ  ｃｏｄｅ）の伝送路符号のＢＳＩ（Ｂｉｔ  Ｓｅｑｕｅｎｃｅ  Ｉｎｄｅｐｅｎｄｅｎｃｅ）化を行うために設けられたことを特徴とする請求項２７記載の所定レベル信号検出回路。
【請求項２９】
前記所定レベルは、２値レベルの“１”及び“０”のいずれかであることを特徴とする請求項２７または請求項２８記載の所定レベル信号検出回路。
【請求項３０】
前記第１の検出手段は、前記伝送路符号の前記“１”及び前記“０”への変化を検出し、
前記第２の検出手段は、前記伝送情報の前記“１”及び前記“０”への変化を検出し、
前記第３の検出手段は、前記伝送情報の前記“１”及び前記“０”のうちの一方を検出することを特徴とする請求項２９記載の所定レベル信号検出回路。
【請求項３１】
前記演算手段は、前記第１の検出手段の検出結果と前記第２の検出手段の検出結果と前記第３の検出手段の検出結果との論理積及び論理和のいずれかをとり、その演算結果をＡＩＳ（Ａｌａｒｍ  Ｉｎｄｉｃａｔｉｏｎ  Ｓｉｇｎａｌ）として出力することを特徴とする請求項２７から請求項３０のいずれか記載の所定レベル信号検出回路。
【請求項３２】
前記第１及び第２の検出手段は、時定数を変更可能なマルチバイブレータから少なくともなることを特徴とする請求項２７から請求項３１のいずれか記載の所定レベル信号検出回路。
【発明の詳細な説明】
【技術分野】
【０００１】
本発明は情報処理装置、通信装置及びそれらに用いる所定レベル信号検出回路に関し、特にＡＭＩ（Ａｌｔｅｒｎａｔｅ  Ｍａｒｋ  Ｉｎｖｅｒｓｉｏｎ）やＢ８ＺＳ（Ｂｉｐｏｌａｒ  ｗｉｔｈ  ８  Ｚｅｒｏ  Ｓｕｂｓｔｉｔｕｔｉｏｎ  ｃｏｄｅ）等の伝送路符号のＢＳＩ（Ｂｉｔ  Ｓｅｑｕｅｎｃｅ  Ｉｎｄｅｐｅｎｄｅｎｃｅ）化を行う通信装置のオール１信号検出回路に関する。
【背景技術】
【０００２】
一般の通信装置においては、符号の平衡度、零符号連続の抑圧、符号の波及度軽減、所要の電力スペクトラム作成等の目的で、ＡＭＩやＢ８ＺＳ等の伝送路符号のＢＳＩ化を行っているため、受信部に伝送路符号／伝送情報変換回路を備えている。
【０００３】
上記の通信装置では、図４に示すように、上記の伝送路符号／伝送情報変換回路１１のほかに、オール“１”の信号を検出するオール１信号検出回路として、それぞれの装置で異なる伝送速度やフレーム構成に合わせた装置や機能に特有の伝送路クロック抽出回路１２と期間内伝送情報ビット照合回路１３と伝送情報連続“１”ビットカウンタ回路１４とを備えている。
【０００４】
この場合、上記の通信装置においては、単にオール“１”の信号を検出する目的のみにも関わらず、上述したような大きな回路構成で、しかも装置や類似機能毎に違った回路を採用する必要性がある。
【０００５】
上記のオール“１”信号［ＡＩＳ（Ａｌａｒｍ  Ｉｎｄｉｃａｔｉｏｎ  Ｓｉｇｎａｌ）情報］を伝送する方法としては、送信側の無線機において、入力信号断または前段における装置障害を示す信号を検出した時、入力信号に替えてＰＮ（Ｐｓｅｕｄｏ  Ｎｏｉｓｅ）信号を伝送し、受信側の無線機において、受信信号とこれをＰＮ信号の１フレーム分遅延させた信号との排他的論理和をとることによって、一致を示す同一符号の連続信号が発生した時に装置障害を示す信号を発生して後段へ伝送する方法がある（例えば、特許文献１参照）。
【０００６】
【特許文献１】特開平６−１２１００７号公報
【発明の開示】
【発明が解決しようとする課題】
【０００７】
上述した従来のオール１信号検出回路では、それぞれの装置で異なる伝送速度やフレーム構成に合わせた装置や機能に特有の伝送路クロック抽出回路と期間内伝送情報ビット照合回路と「伝送情報連続“１”ビットカウンタ回路とを用意して実現しているため、他の装置等では応用が利かず、汎用性がないという問題がある。
【０００８】
また、上記のオール１信号検出回路では、用意する必要がある各々の回路構成が全て大きくなるという問題がある。これらの問題は上述した特許文献１記載のＡＭＩ情報伝送方法では解決することができない。
【０００９】
そこで、本発明の目的は上記の問題点を解消し、汎用性のある容易な回路構成で、所定レベルの信号を検出するという同一機能を実現することができる情報処理装置、通信装置及びそれらに用いる所定レベル信号検出回路を提供することにある。
【課題を解決するための手段】
【００１０】
本発明による情報処理装置は、障害発生区間を識別するために上位装置からの警報の転送情報として全て同一レベルの所定レベル信号を受信する情報処理装置であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを備えている。
【００１１】
本発明による通信装置は、障害発生区間を識別するために上位装置からの警報の転送情報として全て同一レベルの所定レベル信号を受信する通信装置であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを備えている。
【００１２】
本発明による他の通信装置は、障害発生区間を識別するために上位装置からの警報の転送情報として全て同一レベルの所定レベル信号を受信し、伝送路符号を伝送情報に変換する変換手段を含む通信装置であって、
前記伝送路符号のレベル変化を検出しかつ変化なしの状態が予め設定された一定ビット分以上連続することを検出する第１の検出手段と、前記変換手段から出力される伝送情報のレベル変化を検出しかつ変化なしの状態が予め設定された一定ビット分以上連続することを検出する第２の検出手段と、前記変換手段から出力される伝送情報の予め設定した所定レベルを検出する第３の検出手段と、前記第１の検出手段の検出結果と前記第２の検出手段の検出結果と前記第３の検出手段の検出結果とに対して論理演算を行う演算手段とを備えている。
【００１３】
本発明による所定レベル信号検出回路は、障害発生区間を識別するために上位装置からの警報の転送情報として全て同一レベルの所定レベル信号を受信する情報処理装置において所定レベル信号を検出する所定レベル信号検出回路であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを備えている。
【００１４】
本発明による他の所定レベル信号検出回路は、障害発生区間を識別するために上位装置からの警報の転送情報として全て同一レベルの所定レベル信号を受信する通信装置において所定レベル信号を検出する所定レベル信号検出回路であって、伝送情報のレベル変化を検出しかつ変化なしの状態が予め設定された一定ビット分以上連続することを検出する第１の検出手段と、前記伝送情報の予め設定した所定レベルを検出する第２の検出手段と、前記第１及び第２の検出手段各々の検出結果の論理演算を行う演算手段とを備えている。
【００１５】
本発明による別の所定レベル信号検出回路は、障害発生区間を識別するために上位装置からの警報の転送情報として全て同一レベルの所定レベル信号を受信し、伝送路符号を伝送情報に変換する変換手段を含む通信装置において所定レベル信号を検出する所定レベル信号検出回路であって、
前記伝送路符号のレベル変化を検出しかつ変化なしの状態が予め設定された一定ビット分以上連続することを検出する第１の検出手段と、前記変換手段から出力される伝送情報のレベル変化を検出しかつ変化なしの状態が予め設定された一定ビット分以上連続することを検出する第２の検出手段と、前記変換手段から出力される伝送情報の予め設定した所定レベルを検出する第３の検出手段と、前記第１の検出手段の検出結果と前記第２の検出手段の検出結果と前記第３の検出手段の検出結果とに対して論理演算を行う演算手段とを備えている。
【００１６】
すなわち、本発明の情報処理装置は、障害発生区間の識別を容易にする目的等で、上位装置からの警報の転送情報として「オール“１”信号：ＡＩＳ（Ａｌａｒｍ  Ｉｎｄｉｃａｔｉｏｎ  Ｓｉｇｎａｌ）」を受信する装置において、その信号を「伝送路符号の“１”／“０”変化」と、「伝送情報の“１”／“０”変化」と、「伝送情報の“１”」との論理積のみで検出可能とすることで、構成する全ての回路を伝送速度やフレーム構成の異なる他の装置や機能でも時定数の変更等で容易に応用が可能となる簡単な回路で実現可能としている。
【００１７】
一般の通信装置は、符号の平衡度、零符号連続の抑圧、符号の波及度軽減、所要の電力スペクトラム作成等の目的で、ＡＭＩ（Ａｌｔｅｒｎａｔｅ  Ｍａｒｋ  Ｉｎｖｅｒｓｉｏｎ）やＢ８ＺＳ（Ｂｉｐｏｌａｒ  ｗｉｔｈ  ８  Ｚｅｒｏ  Ｓｕｂｓｔｉｔｕｔｉｏｎ  ｃｏｄｅ）等の伝送路符号のＢＳＩ（Ｂｉｔ  Ｓｅｑｕｅｎｃｅ  Ｉｎｄｅｐｅｎｄｅｎｃｅ）化を行っているため、受信部に「伝送路符号／伝送情報変換回路」を備えている。
【００１８】
これに対し、本発明の所定レベル信号検出回路では、伝送路信号を入力して伝送路符号の“１”／“０”の変化なしの状態が一定ビット分以上続いたかを検出する伝送路符号１／０変化検出回路と、伝送路符号／伝送情報変換回路の出力を入力して伝送情報の“１”／“０”の変化なしの状態が一定ビット分以上続いたかを検出する伝送情報１／０変化検出回路と、伝送路符号／伝送情報変換回路の出力を入力して伝送情報が“１”であることを判定する伝送情報１判定回路と、それら伝送路符号１／０変化検出回路と伝送情報１／０変化検出回路と伝送情報１判定回路とにおける各々の出力を入力してＡＩＳ信号を出力する論理積回路とを備えている。
【００１９】
これによって、本発明の所定レベル信号検出回路では、各装置等で異なる伝送速度やフレーム構成に各々個別に合わせる必要があり、しかも回路構成が大きくなる装置毎の伝送路クロック抽出回路、期間内伝送情報ビット照合回路、伝送情報ビット“１”連続カウンタ回路を用いなくても、他の装置でもマルチバイブレータの時定数を変更する等で応用することが可能でかつ汎用性のある容易な回路構成にて、オール“１”信号を検出するという同一機能が実現可能となる。
【発明の効果】
【００２０】
本発明は、以下に述べるような構成及び動作とすることで、汎用性のある容易な回路構成で、所定レベルの信号を検出するという同一機能を実現することができるという効果が得られる。
【発明を実施するための最良の形態】
【００２１】
次に、本発明の実施例について図面を参照して説明する。図１は本発明の一実施例による情報処理装置の構成を示すブロック図である。図１において、本発明の一実施例による情報処理装置は通信装置に用いられる装置であり、伝送路符号／伝送情報変換回路１と、伝送路符号１／０変化検出回路２と、伝送路情報１／０変化検出回路３と、伝送情報１判定回路４と、論理積回路５とから構成されている。
【００２２】
伝送路符号／伝送情報変換回路１は、伝送情報を伝送路に送出する際に、ＡＭＩ（Ａｌｔｅｒｎａｔｅ  Ｍａｒｋ  Ｉｎｖｅｒｓｉｏｎ）やＢ８ＺＳ（Ｂｉｐｏｌａｒ  ｗｉｔｈ  ８  Ｚｅｒｏ  Ｓｕｂｓｔｉｔｕｔｉｏｎ  ｃｏｄｅ）等の伝送路符号のＢＳＩ（Ｂｉｔ  Ｓｅｑｕｅｎｃｅ  Ｉｎｄｅｐｅｎｄｅｎｃｅ）化を行うための回路であり、受信部に設けられている。
【００２３】
伝送路符号１／０変化検出回路２は伝送路信号を入力し、伝送路符号の“１”／“０”の変化なしの状態が一定ビット分以上続いたかを検出し、マルチバイブレータ等で実現される。
【００２４】
伝送路情報１／０変化検出回路３は伝送路符号／伝送情報変換回路１の出力を入力し、伝送情報の“１”／“０”の変化なしの状態が一定ビット分以上続いたかを検出し、マルチバイブレータ等で実現される。
【００２５】
伝送情報１判定回路４は伝送路符号／伝送情報変換回路１の出力を入力し、伝送情報が“１”であるかを判定する。論理積回路５は上記の伝送路符号１／０変化検出回路２と伝送情報１／０変化検出回路３と伝送情報１判定回路４との各々の出力を入力し、それらが全て“１”の時にＡＩＳ（Ａｌａｒｍ  Ｉｎｄｉｃａｔｉｏｎ  Ｓｉｇｎａｌ）信号を出力する。
【００２６】
図２は本発明の一実施例の動作概念例を示す図である。この図２においては、ＢＳＩ化した符号を「伝送路符号」と、装置が担う所要の伝送信号を「伝送情報」とそれぞれ表現している。
【００２７】
装置の各「動作状態」における「伝送路符号」と「伝送路符号１／０変化」と「伝送情報」と「伝送情報１／０変化」と「ＡＩＳ信号」検出の状態とは、「ＢＳＩ化符号」の「ＡＭＩ」と「Ｂ８ＺＳ」との各場合で示している。
【００２８】
「動作状態」が「上位群装置障害」となった場合、「伝送路符号１／０変化」が「あり」、「伝送情報」が「ＡＬＬ“１”信号」、「伝送情報１／０変化」が「なし」の３条件が重なり、「ＡＩＳ信号」が検出される。これはＡＭＩ符号でもＢ８ＺＳ符号でも同様である。
【００２９】
図２において、「＊」印が付加された部分は、伝送路符号“１”／“０”変化のありなしの条件を加えない場合のＡＩＳ誤検出の可能性がある箇所で、伝送情報が“１”または“０”で固定されるため、仮に“１”で固定された場合に発生する。
【００３０】
図３は本発明の一実施例による動作例を示すタイムチャートである。これら図１〜図３“参照して本発明の一実施例による動作例について説明する。
「伝送情報」はＡＭＩ符号時の「伝送路符号」と同一論理となるが、Ｂ８ＺＳ符号時は伝送情報が８ビット連続で“０”の場合、第４，５，７，８の計４ビットが“１”に変換されて符号化されるため、「伝送路符号」とは異なったものとなる。
【００３１】
また、「符号１／０変化」も「情報１／０変化」も“０”または“１”が、９ビット連続した場合に、ありかなしかを判定するとして例示している。図３ではＡＭＩ符号時も、Ｂ８ＺＳ符号時も、それぞれ同様に、「伝送情報」が“１”、「符号１／０変化」が“あり”、「情報１／０変化」が“なし”の３条件が重なった場合、「ＡＩＳ検出」が“あり”となることを示している。
【００３２】
このように、本実施例では、各装置等で異なる伝送速度やフレーム構成に各々個別に合わせる必要があり、しかも回路構成が大きくなる装置毎の「伝送路クロック抽出回路」と「期間内伝送情報ビット照合回路」と「伝送情報ビット“１”連続カウンタ回路」とを用いなくても、他の装置でもマルチバイブレータの時定数を変更する等で応用することができかつ汎用性のある容易な回路構成にて、オール“１”信号を検出するという同一機能を実現することができる。
【００３３】
尚、装置によっては伝送路符号のＢＳＩ化を行っていないことも考えられ、その場合には受信部に「伝送路符号／伝送情報変換回路」を持たないため、「伝送路符号１／０変化検出回路」及び「伝送情報１／０変化検出回路」は同一機能品となるため、それらのうちの一方のみの構成でも実現が可能となる。
【００３４】
また、最終的にＡＩＳ信号を出力する「論理積回路」は、論理構成によっては論理和での実現も可能となる。さらに、ＡＬＬ“０”検出用の回路にも論理変更での応用が可能である。
【産業上の利用可能性】
【００３５】
本発明は、安定動作か不安定動作かを検出する検出回路等の通信装置以外の制御系への応用も考えられる。
【図面の簡単な説明】
【００３６】
【図１】本発明の一実施例による情報処理装置の構成を示すブロック図である。
【図２】本発明の一実施例の動作概念例を示す図である。
【図３】本発明の一実施例による動作例を示すタイムチャートである。
【図４】従来例による通信装置の構成を示すブロック図である。
【符号の説明】
【００３７】
１  伝送路符号／伝送情報変換回路
２  伝送路符号１／０変化検出回路
３  伝送路情報１／０変化検出回路
４  伝送情報１判定回路
５  論理積回路
【図１】
2005341082.tif 000003
【図２】
2005341082.tif 000004
【図３】
2005341082.tif 000005
【図４】
2005341082.tif 000006